【手続補正書】
【提出日】平成16年2月25日(2004.2.25)
【手続補正１】
【補正対象書類名】特許請求の範囲
【補正対象項目名】全文
【補正方法】変更
【補正の内容】
【特許請求の範囲】
【請求項１】
入力信号のステレオ特性を符号化するための方法であって、
符号器で前記入力信号のステレオ幅を示す幅パラメータを計算し、
復号器で出力信号のステレオ幅を制御するために前記幅パラメータを使用してステレオ出力信号を生成する方法。
【請求項２】
前記符号器で前記入力信号からモノラル信号を形成し、
前記復号器での前記ステレオ出力信号の生成は前記モノラル信号に対して作用する疑似ステレオ方法を含む請求項１に記載の方法。
【請求項３】
前記疑似ステレオ方法が、前記モノラル信号を２つの信号に分割すると共に、前記モノラル信号の遅延バージョンを、前記幅パラメータによって制御されたレベルで、前記２つの信号に加えることを含む請求項２に記載の方法。
【請求項４】
前記遅延バージョンを前記２つの信号に加える前に高域フィルタにかけ、より高い周波数で漸次減衰させる請求項３に記載の方法。
【請求項５】
前記幅パラメータがベクトルであり、前記ベクトルの要素が別個の周波数帯域に対応する請求項１に記載の方法。
【請求項６】
前記入力信号がデュアルモノラル型である場合、前記出力信号もまたデュアルモノラル型である請求項１乃至５に記載の方法。
【請求項７】
入力信号のステレオ特性を符号化するための方法であって、
符号器で前記入力信号のステレオバランスを示すバランスパラメータを計算し、
復号器で出力信号のステレオバランスを制御するために前記バランスパラメータを使用してステレオ出力信号を生成する方法。
【請求項８】
前記符号器で前記入力信号からモノラル信号を形成し、
前記復号器でのステレオ出力信号の生成は前記モノラル信号を２つの信号に分割することを含み、前記ステレオバランスの制御は前記２つの信号のレベルの調整を含む請求項７に記載の方法。
【請求項９】
前記入力信号の各チャネルのパワーを計算し、前記パワー間の商から前記バランスパラメータを計算する請求項７に記載の方法。
【請求項１０】
前記パワー及び前記バランスパラメータがベクトルであり、ベクトルの各要素が特定の周波数帯域に対応する請求項９に記載の方法。
【請求項１１】
前記復号器で、前記モノラル信号の対応するパワーの瞬時値が瞬時補間の勾配をどの程度にすべきかを制御するように、前記バランスパラメータの２つの時間的連続値の間で補間する請求項７に記載の方法。
【請求項１２】
前記補間法を対数値で表わされたバランス値に対して実行する請求項１１に記載の方法。
【請求項１３】
前記バランスパラメータの値を前のバランス値とメジアンフィルタ又は他のフィルタプロセスによって他のバランス値から抽出されたバランス値との間の範囲に限定する請求項７に記載の方法。
ただし、前記範囲はその境界を特定の範囲だけ移動させることによってさらに拡張することができる。
【請求項１４】
バランス値に対する前記限定の境界を抽出する前記方法はマルチバンドシステムの場合には周波数依存性をもつものである請求項１３に記載の方法。
【請求項１５】
前記パワーのベクトル和として追加レベルパラメータを計算して前記復号器に送り、それによって前記復号器に前記入力信号のスペクトル包絡線の表現を与える請求項１０に記載の方法。
【請求項１６】
前記レベルパラメータ及び前記バランスパラメータを前記パワーによって適応して切り換える請求項１５に記載の方法。
【請求項１７】
前記スペクトル包絡線を使用して復号器でのＨＦＲプロセスを制御する請求項１６に記載の方法。
【請求項１８】
前記レベルパラメータをスケーラブルなＨＦＲに基づくステレオコーデックの一次ビットストリームに供給し、前記バランスパラメータを前記コーデックの二次ビットストリームに供給する請求項１５に記載の方法。
【請求項１９】
前記モノラル信号及び前記幅パラメータを前記一次ビットストリームに供給する請求項２又は１８に記載の方法。
【請求項２０】
中心位置からより遠いバランス位置に対応するバランス値にはより小さい値を付与する関数によって前記幅パラメータを処理する請求項５又は１６に記載の方法。
【請求項２１】
前記バランスパラメータの量子化は、中心位置付近ではより小さい量子化ステップを使用し、外側の位置に向かってより大きいステップを使用する請求項７乃至１８のいずれかに記載の方法。
【請求項２２】
マルチバンドシステムでは周波数依存性をもつ量子化方法を用いて、前記幅パラメータ及び前記バランスパラメータを分解能と範囲に関して量子化する請求項５又は２１に記載の方法。
【請求項２３】
前記バランスパラメータを時間または周波数のいずれかで適応してデルタ符号化する請求項１０乃至１８のいずれかに記載の方法。
【請求項２４】
前記モノラル信号を形成する前に前記入力信号をヒルベルト変換器に通す請求項２又は８のいずれかに記載の方法。
【請求項２５】
符号器における、入力信号のステレオ幅を示す幅パラメータを計算するための手段及び前記入力信号からモノラル信号を形成するための手段と、
復号器における、前記モノラル信号からステレオ出力信号を生成するための手段であって、前記幅パラメータを用いて前記出力信号のステレオ幅を制御するように構成した手段と、
を備えたパラメトリックステレオ符号化のための装置。
【請求項２６】
ステレオ入力信号を符号化して符号化出力信号を得るための符号器であって、
前記ステレオ信号をモノラル信号に変換するための変換器（１０５）と、
前記モノラル信号を符号化して符号化モノラル信号を得るための符号器（１０７）と、
前記入力信号のステレオ幅を示す幅パラメータ又は前記入力信号のステレオバランスを示すバランスパラメータを計算するための計算器（１０３）と、
前記幅パラメータ又はバランスパラメータと、前記符号化モノラル信号とを多重化して、符号化出力信号を表わすビットストリームを得るためのマルチプレクサ（１０９）と、
を備えた符号器。
【請求項２７】
符号化モノラル信号と、前記符号化モノラル信号の基を成す原信号のステレオ幅を示す幅パラメータ又は前記原信号のステレオバランスを示すバランスパラメータとを含む符号化信号を復号化してステレオ信号を得るための復号器であって、
前記符号化信号を逆多重化して前記符号化モノラル信号のほかに、前記幅パラメータ（１１７）又はバランスパラメータを得るためのデマルチプレクサ（１１３）と、
前記符号化モノラル信号を復号化して復号化モノラル信号を得るための復号器（１１５）と、
前記復号化モノラル信号を受信し、かつ前記幅パラメータ（１１７）又はバランスパラメータを制御信号として使用して、ステレオ出力信号を生成するためのステレオ生成器（１１９）と、
を備えた復号器。
【請求項２８】
ステレオ入力信号を符号化して符号化出力信号を得るための方法であって、
前記ステレオ信号をモノラル信号に変換するステップ（１０５）と、
前記モノラル信号を符号化して符号化モノラル信号を得るステップ（１０７）と、
前記入力信号のステレオ幅を示す幅パラメータ又は前記入力信号のステレオバランスを示すバランスパラメータを計算するステップ（１０３）と、
前記幅パラメータ又はバランスパラメータと、前記符号化モノラル信号とを多重化して、前記符号化出力信号を表わすビットストリームを得るステップ（１０９）と、
を含む方法。
【請求項２９】
符号化モノラル信号と、前記符号化モノラル信号の基を成す原信号のステレオ幅を示す幅パラメータ又は前記原信号のステレオバランスを示すバランスパラメータとを含む符号化信号を復号化してステレオ信号を得るための方法であって、
前記符号化信号を逆多重化して、前記符号化モノラル信号のほかに、前記幅パラメータ（１１７）又はバランスパラメータを得るステップ（１１３）と、
前記符号化モノラル信号を復号化して復号化モノラル信号を得るステップ（１１５）と、
前記復号化モノラル信号を受信し、前記幅パラメータ（１１７）又はバランスパラメータを制御信号として使用して、ステレオ出力信号を生成するステップ（１１９）と、
を含む方法。
【手続補正２】
【補正対象書類名】明細書
【補正対象項目名】００２８
【補正方法】変更
【補正の内容】
【００２８】
低帯域コーデックの場合、異なる可能性が存在する。すなわち、それは常にＳ／Ｄモードで動作することができ、Ｓ信号及びＤ信号がそれぞれ一次ビットストリーム及び二次ビットストリームに送られる。この場合、一次ビットストリームを復号化すると全帯域のモノラル信号が得られる。言うまでもなく、このモノラル信号は、本発明に係るパラメトリックステレオ方法によって強化することができ、その場合ステレオパラメータも一次ビットストリーム内に配置しなければならない。別の可能性は、ステレオ符号化低帯域信号を、必要に応じて高帯域の幅パラメータ及びバランスパラメータと共に、一次ビットストリームに供給することである。低帯域のステレオ特性は高周波再構成に反映されるので、この場合は、一次ビットストリームを復号化すると、低帯域の真のステレオ及び高帯域の非常に現実的な疑似ステレオが得られる。別の言い方をすると、利用可能な高帯域包絡線表現又はスペクトル粗構造がモノラルであったとしても、合成される高帯域残留又はスペクトル微細構造はそうではない。この型の実施では、二次ビットストリームはより多くの低帯域情報を含むことができ、それは一次ビットストリームのそれと組み合わされたときに、より高品質の低帯域再生を生み出す。マルチプレクサ４１５及び４１３にそれぞれ接続される一次及び二次の低帯域符号器出力信号４１１及び４０９は、上述した信号型のどちらでも含むことができるので、図４のトポロジーは両方の場合を表わす。